(57)【要約】【課題】  簡易な構成で、製品の運送中に所定の衝撃が加わったことを検知することが可能な加速度計付カ−トンを提供する。【解決手段】  ４つの樹脂製のテ−プ上の切断部材３２ａ〜３２ｄが形成されたシ−ト部材３５が、カ−トン２０の側板２１に形成された窓部２１ａを被覆するように、側板２１の裏面側に貼付されているとともに、所定の重量の錘３１の上側、右側、下側および左側に、それぞれ切断部材３２ａ〜３２ｄに取り付けられることにより、錘３１が上下左右方向に支持されている。そして、カ−トン２０に衝撃が加わったときには、同衝撃の方向に対応する切断部材が切断されて、錘が支持されている位置から離脱する様子を窓部２１ａを介して視認することができるため、カ−トンに衝撃が加わったことを一目で認識することが可能となる。【選択図】図４
2006117268.tif 000002
【特許請求の範囲】
【請求項１】
テレビジョン受像機を梱包するカ−トンと、同カ−トンに取り付けられた加速度計とからなる加速度計付カ−トンにおいて、
上記カ−トンの側板の一部が切り抜かれて窓部が形成され、
上記加速度計は、上記窓部の面積よりも大きいシ−ト部材の略中央に形成された切欠部の周縁に同シ−ト部材と一体的に形成され、所定の力が加わることにより切断されるように構成された切断部材が、所定の重量の錘の上部、下部および左右両側部に取り付けられて同錘を支持するとともに、同錘が上記側板の前方から視認可能となるように上記シ−ト部材が上記窓部を被覆するように貼付されてなり、
上記切断部材が切断されて、上記錘が支持されていた位置から離脱することにより、上記カ−トンに所定の衝撃が加わったことを報知するように構成され、
非透光性の保護シ−トが、上記カ−トンの側板に形成された上記窓部を被覆するように、同側板の表面側に剥離可能に貼付されていることを特徴とする加速度計付カ−トン。
【請求項２】
被梱包物を梱包するカ−トンと、同カ−トンに取り付けられた加速度計とからなる加速度計付カ−トンにおいて、
上記加速度計は、所定の力が加わることにより切断される切断部材が、所定の重量の錘に取り付けられて同錘を支持してなり、
上記切断部材が切断されて、上記錘が支持されていた位置から離脱することにより、上記カ−トンに所定の衝撃が加わったことを報知することを特徴とする加速度計付カ−トン。
【請求項３】
上記カ−トンの側板の一部が切り抜かれて窓部を形成し、
上記切断部材は、上記窓部の面積よりも大きいシ−ト部材の略中央に形成された切欠部の周縁に、同シ−ト部材と一体的に形成され、
上記加速度計は、上記窓部が形成されている上記側板の裏面側から、上記シ−ト部材が上記窓部を被覆するとともに、上記切断部材により支持された上記錘が上記側板の前方から視認可能となるように貼付されてなることを特徴とする請求項２に記載の加速度計付カ−トン。
【請求項４】
保護シ−トが、上記カ−トンの側板に形成された上記窓部を被覆するように、同側板の表面側に剥離可能に貼付されていることを特徴とする請求項３に記載の加速度計付カ−トン。
【請求項５】
上記保護シ−トは、非透光性であることを特徴とする請求項４に記載の加速度計付カ−トン。
【請求項６】
上記切断部材は、２つ備えられており、
上記錘の上部と下部とを支持するように取り付けられていることを特徴とする請求項３〜５のいずれか１に記載の加速度計付カ−トン。
【請求項７】
上記切断部材は、４つ備えられており、
上記錘の上部、下部および左右両側部を支持するように取り付けられていることを特徴とする請求項３〜５のいずれか１に記載の加速度計付カ−トン。
【請求項８】
上記カ−トンは、テレビジョン受像機を梱包するカ−トンであることを特徴とする請求項２〜７のいずれか１に記載の加速度計付カ−トン。
【発明の詳細な説明】
【技術分野】
【０００１】
本発明は、被梱包物に過大な衝撃が加わったことを検知する加速度計が取り付けられた加速度計付カ−トンに関するものである。
【背景技術】
【０００２】
従来、被梱包物が梱包されたカ−トンに衝撃が加わったことを検知するための加速度計が知られている（例えば、特許文献１〜４参照）。被梱包物が精密機器等の衝撃に弱いものである場合には、荷扱いに特に注意が必要であるため、このような加速度計がカ−トン毎に取り付けられていることが多い。
【特許文献１】特開２００１−１３３４７２号公報
【特許文献２】特開２０００−１９３６７８号公報
【特許文献３】特開平１０−１１５６３２号公報
【特許文献４】実開平７−１４３８０号公報
【発明の開示】
【発明が解決しようとする課題】
【０００３】
しかしながら、特許文献１、２に記載の加速度計では、衝撃を検知するための電気的に作動するセンサを具備する構成となっており、また、特許文献３、４に記載の加速度計については、上述した電気的に作動するセンサは具備していないものの、加速度計を構成する部品が多く、また、構成も複雑である。そのため、製品の出荷の際、特許文献１〜４に記載の加速度計を、カ−トン毎に設置するとコスト高となってしまうという問題がある。
【０００４】
本発明は、かかる実情に鑑み、簡易な構成で、製品の運送中に所定の衝撃が加わったことを検知することが可能な加速度計付カ−トンを提供するものである。
【課題を解決するための手段】
【０００５】
上記目的を達成するため、請求項２にかかる発明は、被梱包物を梱包するカ−トンと、同カ−トンに取り付けられた加速度計とからなる加速度計付カ−トンにおいて、
上記加速度計は、所定の力が加わることにより切断される切断部材が、所定の重量の錘に取り付けられて同錘を支持してなり、
上記切断部材が切断されて、上記錘が支持されていた位置から離脱することにより、上記カ−トンに所定の衝撃が加わったことを報知する構成としてある。
【０００６】
上記のように構成した請求項２において、加速度計付カ−トンは、被梱包物を梱包するカ−トンと、同カ−トンに取り付けられた加速度計とからなる。また、上記加速度計は、所定の力が加わることにより切断される切断部材が、所定の重量の錘に取り付けられた同錘を支持する構成となっている。
【０００７】
さらに、上記加速度計は、切断部材が切断されて、上記錘が支持されていた位置から離脱することにより、上記カ−トンに所定の衝撃が加わったことを報知するように構成されている。すなわち、請求項２の発明にかかる加速度計は、錘と、所定の力で切断される樹脂製のテ−プ等からなる切断部材とからなり、同切断部材により錘が支持されるように取り付けられて構成されるものであり、非常に簡易な構成となっている。また、カ−トンに衝撃が加わって、上記錘を支持している切断部材が切断されると、同錘が支持されている位置から離脱するため、カ−トンに衝撃が加わったことを一目で認識することが可能となる。その結果、簡易な構成で、且つ、カ−トンに衝撃が加わったことを確実に検知することが可能な加速度計付カ−トンとすることが可能となる。
【０００８】
また、請求項３にかかる発明は、上記カ−トンの側板の一部が切り抜かれて窓部を形成し、
上記切断部材は、上記窓部の面積よりも大きいシ−ト部材の略中央に形成された切欠部の周縁に、同シ−ト部材と一体的に形成され、
上記加速度計は、上記窓部が形成されている上記側板の裏面側から、上記シ−ト部材が上記窓部を被覆するとともに、上記切断部材により支持された上記錘が上記側板の前方から視認可能となるように貼付された構成としてある。
上記のように構成した請求項３において、カ−トンに被梱包物が梱包されたままの状態で、同カ−トンの外部から窓部を介して、上記錘の状態を確認することが可能となる。また、切断部材が一体的に形成されたシ−ト部材を側板の裏側から貼付することにより加速度計をカ−トンに取り付けることができるため、加速度計付カ−トンの製造が容易となる。
【０００９】
また、請求項４にかかる発明は、保護シ−トが、上記カ−トンの側板に形成された上記窓部を被覆するように、同側板の表面側に剥離可能に貼付されている構成としてある。
上記のように構成した請求項４において、保護シ−トにより、加速度計を保護することができ、同加速度計に他のカ−トン等が接触して保持されている錘が離脱してしまったりすることを防止することが可能となる。
【００１０】
また、請求項５にかかる発明は、上記保護シ−トが、非透光性である構成としてある。
上記のように構成した請求項５において、カ−トンの外部から加速度計を視認不可能とすることができるため、同加速度計が不正に取り扱われることを防止することが可能となる。
【００１１】
また、請求項６にかかる発明は、上記切断部材が、２つ備えられており、
上記錘の上部と外部とを支持するように取り付けられている構成としてある。
上記のように構成した請求項６において、錘の上部と下部が支持されているため、カ−トンの落下の際の衝撃に対する感度を有する加速度計とすることが可能となる。
【００１２】
また、請求項７にかかる発明は、上記切断部材が４つ備えられており、
上記錘の上部、下部および左右両側部を支持するように取り付けられている構成としてある。
上記のように構成した請求項７において、カ−トンの落下際の衝撃のみならず、水平方向の衝撃に対しても感度を有する加速度計とすることが可能となる。
【００１３】
また、請求項８にかかる発明は、上記カ−トンが、テレビジョン受像機を梱包するカ−トンである構成としてある。
上記のように構成した請求項８において、テレビジョン受像機が梱包されたカ−トンに衝撃が加わったことを検知することが可能となる。
【発明の効果】
【００１４】
本発明の請求項２にかかる発明では、簡易な構成で、且つ、カ−トンに衝撃が加わったことを確実に検知することが可能な加速度計付カ−トンとすることが可能となる。
請求項３にかかる発明では、カ−トンの外部から窓部を介して錘の状態を確認することが可能となり、また、加速度計付カ−トンの製造が容易となる。
請求項４にかかる発明では、保護シ−トにより加速度計を保護することが可能となる。
請求項５にかかる発明では、同加速度計が不正に取り扱われることを防止することが可能となる。
請求項６にかかる発明では、カ−トンの落下の際の衝撃に対する感度を有する加速度計とすることが可能となる。
請求項７にかかる発明では、カ−トンの落下際の衝撃のみならず、水平方向の衝撃に対しても感度を有する加速度計とすることが可能となる。
請求項８にかかる発明では、テレビジョン受像機が梱包されたカ−トンに衝撃が加わったことを検知することが可能となる。
【発明を実施するための最良の形態】
【００１５】
ここでは、下記の順序に従って本発明の実施の形態について説明する。
（１）第１実施形態：
（２）第２実施形態：
（３）各種変形例：
（４）まとめ：
【００１６】
（１）第１実施形態：
図１は、本発明の第１実施形態にかかる加速度計付カ−トンの概略構成図である。第１実施形態にかかる加速度計付カ−トン１０は、ブラウン管を具備するテレビジョン受像機１１を梱包するためのものである。テレビジョン受像機１１の上側の４角には、発泡スチロ−ル等からなる上部緩衝材１２〜１５がそれぞれ取り付けられ、また、テレビジョン受像機１１の下側の４角には、下部緩衝材１６〜１９がそれぞれ取り付けられた状態でカ−トン２０に梱包される。これにより、カ−トン２０の運搬中におけるテレビジョン受像機１１の位置が固定される。また、カ−トン２０の側板２１の一部が切り抜かれて窓部２１ａが形成されており、この窓部２１ａに加速度計３０が取り付けられている。
【００１７】
図２は、図１に示したカ−トン２０の側板２１における加速度計３０の近傍を示す拡大正面図であり、図３は、図２のＡ−Ａ線断面図である。図２、図３に示すように、加速度計３０は、略矩形状の樹脂製のフィルムからなるシ−ト部材３５を具備しており、このシ−ト部材３５は、側板２１に形成された窓部２１ａを被覆するように、側板２１の裏面側に貼付されている。なお、図３において、右側が側板２１の裏側となり、左側が側板２１の表面側（すなわち、カ−トン２０の外側）となる。シ−ト部材３５には、中央部分に矩形状の切欠部３５ａが形成されており、切欠部３５ａの周縁部の上側、右側、下側および左側には、それぞれ、テ−プ状の切断部材３２ａ〜３２ｄが形成されている。切断部材３２ａ〜３２ｄは、それぞれシ−ト部材３５と同一の材質からなるものである。すなわち、切断部材３２ａ〜３２ｄを含むシ−ト部材３５は、一体的に成形することが可能である。また、切断部材３２ａ〜３２ｄの各々は、テ−プ幅が一部幅狭な切断部３３ａ〜３３ｄとなっており、切断部材３２ａ〜３２ｄに所定の力が加わったときには、切断部３３ａ〜３３ｄから切断される。
【００１８】
切断部材３２ａ〜３２ｄは、略矩形板形状で、所定の重量を有する錘３１の上側、右側、下側および左側にそれぞれ取り付けられている。具体的には、例えば、切断部材３２ａについては、錘３１の上部に形成された半円弧形状の止め具３４ａに切断部材３２ａの端部を挿通させて折り返し、同端部と切断部材３２ａの中腹部とを熱圧着することにより、切断部材と錘３１ａとが固定されている。なお、切断部材３２ｂ〜３２ｄについても、切断部材３２ａと同様の方法にて錘３１に取り付けられている。このように錘３１の上側、右側、下側および左側の４箇所にそれぞれ切断部材３２ａ〜３２ｄを取り付けることにより、錘３１が上下左右方向に支持されることになる。なお、第１実施形態では、樹脂製の切断部材を熱圧着することにより錘３１に固定させる場合について説明したが、これに限定されず、例えば、止め具３４に切断部材３２を挿通させて結んで固定してもよい。
【００１９】
図２、図３に示した状態では、錘３１は、上下左右方向に支持されており、その位置が固定されているのであるが、カ−トン２０に所定の衝撃が加わると、錘３１にも衝撃が加わり、切断部材３２ａ〜３２ｄのいずれかが切断部３３から切断される。例えば、カ−トン２０が底板を下にして落下した場合には、錘３１には、下方向に力が加わることとなる。その結果、図４に示すように、錘３１の上側に取り付けられた切断部材３２ａが切断部３３から切断されて、錘３１が支持されていた位置から離脱することとなる。錘３１が離脱している様子は、側板２１に形成された窓部２１ａを介して視認することができるため、カ−トン２０に下方向の衝撃が加わったことを一目で認識することが可能となる。
【００２０】
なお、図４には示していないが、カ−トン２０の上面側を下にして落下した場合には、切断部材３２ｃが切断されることとなり、また、図４において、錘３１の右側（切断部材３２ｂ側）の側板を下にして落下した場合には、切断部材３２ｄが切断される。すなわち、４つの切断部材のなかのどの切断部材が切断されたかによって、カ−トン２０のどの方向に衝撃が加わったかを知ることができるのである。
【００２１】
（２）第２実施形態：
第２実施形態では、カ−トン２０に取り付けられた加速度計３０を保護する非透光性の保護シ−トが設けられている場合について説明する。上述した第１実施形態では、加速度計３０を構成する錘３１や、切断部材３２ａ〜３２ｄが、側板２１の窓部２１ａから外部に露出しているため、露出部分に他のカ−トンが外側から接触したり、また、加速度計３０が不正に取り扱われてしまうおそれがあり、これを防止するために保護シ−トを設けるのである。
【００２２】
図５は、加速度計３０を保護する保護シ−トが側板２１の表面側に設けられている様子を示す図である。同図において、側板２１の表面側であって、側板２１の窓部２１ａを含む領域に、保護シ−ト６０が貼付されている。この保護シ−ト６０の全体には、着色が施されており、裏面側に設置された加速度計３０が視認不可能となっている。また、この保護シ−ト６０は、剥離可能なように貼付されており、図６に示すように、保護シ−ト６０を剥離させることにより、加速度計３０における錘３１の状態を視認することが可能となっている。
【００２３】
（３）各種変形例
上述した実施形態においては、錘の上下左右の４箇所に切断部材が取り付けられている場合について説明したが、本発明においては、錘を支持するための切断部材が設けられる数は限定されるものではなく、また、切断部材が取り付けられる位置についても特に限定されるものではない。例えば、錘の上側と下側との２箇所に切断部材を取り付けることとしてもよい。
【００２４】
また、上述した実施形態においては、テ−プ状の樹脂製の切断部材の一部を幅狭にして、その部分が切断されるように構成されているが、本発明においては、例えば、樹脂製の切断部材の幅方向にミシン目を入れるようにし、同ミシン目に沿って切断されるように構成されていてもよい。
また、上述した実施形態においては、切断部材が樹脂製である場合について説明したが、本発明において、切断部材は、所定の力が加わることにより切断されるものであれば特に限定されるものではなく、例えば、紙製であってもよい。
【００２５】
また、実施形態にかかる加速度計付カ−トンは１つの加速度計を具備している場合について説明したが、本発明の加速度計付カ−トンが具備する加速度計の数としては特に限定されるものではない。
【００２６】
また、実施形態にかかるカ−トンは、ＣＲＴテレビジョン受像機を梱包するカ−トンである場合について説明したが、本発明のカ−トンがどの被梱包物を梱包するためのカ−トンであるかについては特に限定されるものではなく、例えば、電子レンジや、ビデオ再生装置等を梱包するカ−トンであってもよい。
【００２７】
また、上述した実施形態（第２実施形態）においては、保護シ−トが側板の表面側に設けられている場合について説明したが、同保護シ−トを側板の裏面側にも設けるようにしてもよい。運送中に被梱包物がカ−トン内部を移動するようになっている場合には、同被梱包物が加速度計に衝突してしまう虞もあり、そのような場合に加速度計を保護することができるからである。
【００２８】
（４）まとめ：
以上説明したように、実施形態にかかる加速度計付カ−トン１０では、４つの樹脂製のテ−プ上の切断部材３２ａ〜３２ｄが形成されたシ−ト部材３５が、カ−トン２０の側板２１に形成された窓部２１ａを被覆するように、側板２１の裏面側に貼付されているとともに、所定の重量の錘３１の上側、右側、下側および左側に、それぞれ切断部材３２ａ〜３２ｄに取り付けられることにより、錘３１が上下左右方向に支持されている。そして、カ−トン２０に衝撃が加わったときには、同衝撃の方向に対応する切断部材が切断されて、錘が支持されている位置から離脱する様子を窓部２１ａを介して視認することができるため、カ−トンに衝撃が加わったことを一目で認識することが可能となる。
【図面の簡単な説明】
【００２９】
【図１】第１実施形態にかかる加速度計付カ−トンの概略構成図である。
【図２】図１に示した加速度計の近傍を示す拡大正面図である。
【図３】図２のＡ−Ａ線断面図である。
【図４】加速度計の錘が離脱した様子を示す図である。
【図５】保護シ−トが側板の表面側に設けられている様子を示す図である。
【図６】保護シ−トが剥離された様子を示す図である。
【符号の説明】
【００３０】
１０…加速度計付カ−トン
１１…テレビジョン受像機
２０…カ−トン
２１…側板
２１ａ…窓部
３０…加速度計
３１…錘
３２（３２ａ〜３２ｄ）…切断部材
３３（３３ａ〜３３ｄ）…切断部
３４（３４ａ〜３４ｄ）…止め具
３５…シ−ト部材
３５ａ…切欠部
６０…保護シ−ト
【図１】
2006117268.tif 000003
【図２】
2006117268.tif 000004
【図３】
2006117268.tif 000005
【図４】
2006117268.tif 000006
【図５】
2006117268.tif 000007
【図６】
2006117268.tif 000008